(57)【要約】      （修正有）【課題】中央鏡部の長さを十分確保しながら携帯時には容易に持ち運べる大きさに折り畳むことが可能な三面鏡を提供する。【解決手段】三面鏡５０において、中央鏡部１０を第１中央鏡部１４、第２中央鏡部１６で構成しさらにスライド伸縮式としているため、携帯時等には第１中央鏡部１４、第２中央鏡部１６を重ねその外形寸法を小さくすることができる。これにより、容易に携帯が可能となる。また、使用時には第２中央鏡部１６を伸ばすことで第２鏡部と第３鏡部との間隔を十分に確保することができる。これにより、頭頂部等を容易に目視することができる。【選択図】図１
0003158591.tif 000002
【実用新案登録請求の範囲】
【請求項１】
両端に第１ヒンジ部と第２ヒンジ部とを備えた中央鏡部と、
前記第１ヒンジ部に設置される第２鏡部と、
前記第２ヒンジ部に設置される第３鏡部と、を有する三面鏡において、
前記中央鏡部は前記第１ヒンジ部を備えた第１中央鏡部と前記第２ヒンジ部を備えた第２中央鏡部とを有し、さらに第２中央鏡部を第１中央鏡部に対し伸縮可能とすることで中央鏡部の長さが変化することを特徴とする三面鏡。
【請求項２】
第１中央鏡部もしくは第２中央鏡部に拡大ミラー部を有することを特徴とする請求項１記載の三面鏡。
【考案の詳細な説明】
【技術分野】
【０００１】
本考案は、携帯が容易で且つ頭頂部等を目視可能とする三面鏡に関するものである。
【背景技術】
【０００２】
三面鏡は３枚の鏡を連結したものであり、鏡の角度を調整することで頭の後方や側方を目視することができる。一般的な三面鏡は横方向に連結したものであるが、近年、薄毛等への関心から頭頂部を目視可能な三面鏡への要望が高まり、縦方向に連結した三面鏡も商品化されている。ここで、下記［特許文献１］には頭頂部を目視することを目的とした三面鏡に関する考案が開示されている。
【０００３】
また、外出先等でも頭頂部をチェック可能なように携帯が可能な三面鏡への要望が高まっている。ここで、下記［特許文献２］には携帯型の三面鏡に関する考案が開示されている。
【先行技術文献】
【特許文献】
【０００４】
【特許文献１】実開平７−０２８４６７号公報
【特許文献２】実開平５−０７４４１７号公報
【考案の概要】
【考案が解決しようとする課題】
【０００５】
しかしながら、三面鏡を用いて頭頂部を目視する場合、下方（顎の方向）に位置する第２鏡部と、上方（頭部の方向）に位置する第３鏡部とを、目視対象である頭部を挟むように配置する必要がある。このため、第２鏡部と第３鏡部との間隔が短いと頭頂部を十分に目視することができない。従って、正面に位置する第２鏡部と第３鏡部との間の中央鏡部はある程度の長さが必要となる。この長さは最低でも２００ｍｍ〜３００ｍｍであり、たとえ［特許文献２］に開示された考案のように第２鏡部と第３鏡部とを折り畳み可能としても、気軽に携帯できる大きさとはならない。
【０００６】
本考案は上記事情に鑑みてなされたものであり、中央鏡部の長さを十分確保しながら携帯時には容易に持ち運べる大きさに折り畳むことが可能な三面鏡を提供することを目的とする。
【課題を解決するための手段】
【０００７】
本考案は、
（１）両端に第１ヒンジ部１２ａと第２ヒンジ部１２ｂとを備えた中央鏡部１０と、前記第１ヒンジ部１２ａに設置される第２鏡部２０と、前記第２ヒンジ部１２ｂに設置される第３鏡部３０と、を有する三面鏡において、
前記中央鏡部１０は前記第１ヒンジ部１２ａを備えた第１中央鏡部１４と前記第２ヒンジ部１２ｂを備えた第２中央鏡部１６とを有し、さらに第２中央鏡部１６を第１中央鏡部１４に対し伸縮可能とすることで中央鏡部１０の長さが変化することを特徴とする三面鏡５０を提供することにより、上記課題を解決する。
（２）第１中央鏡部１４もしくは第２中央鏡部１６に拡大ミラー部１８を有することを特徴とする上記（１）記載の三面鏡５０を提供することにより、上記課題を解決する。
【考案の効果】
【０００８】
本考案に係る三面鏡によれば、中央鏡部を２段のスライド式としているため、携帯時には中央鏡部を縮めその長さを短くすることができる。これにより、容易に携帯することが可能となる。また、使用時には中央鏡部を伸ばすことで第２鏡部と第３鏡部との間隔を十分に確保することができる。これにより、頭頂部等を容易且つ十分に目視することが可能となる。
【図面の簡単な説明】
【０００９】
【図１】本考案に係る三面鏡の外観を示す図である。
【図２】本考案に係る三面鏡の各状態を示す図である。
【考案を実施するための形態】
【００１０】
本考案に係る三面鏡の実施の形態について図面に基づいて説明する。図１に示す本考案に係る三面鏡５０は、短辺側の両端に第１ヒンジ部１２ａと第２ヒンジ部１２ｂとを備えた中央鏡部１０と、第１ヒンジ部１２ａに設置される第２鏡部２０と、第２ヒンジ部１２ｂに設置される第３鏡部３０と、を有している。また、中央鏡部１０は、第１ヒンジ部１２ａを一端に備えた第１中央鏡部１４と、第２ヒンジ部１２ｂを一端に備えた第２中央鏡部１６と、で構成されている。そして、第２中央鏡部１６は中央鏡部１０の長手方向にスライドさせることで第１中央鏡部１４に対して伸縮が可能であり、これにより中央鏡部１０の長さを変化させることができる。尚、第２中央鏡部１６は第１中央鏡部１４内に収容可能とすることが好ましいが、第２中央鏡部１６をスライドさせて第１中央鏡部１４に重ねるようにしても良い。
【００１１】
第１中央鏡部１４、第２中央鏡部１６、第２鏡部２０、第３鏡部３０には、それぞれ、鏡体１４ａ、１６ａ、２０ａ、３０ａが設置されている。鏡体１４ａ、１６ａ、２０ａ、３０ａとしては、ガラスやプラスチックを基体とした周知の鏡を用いることができる。
【００１２】
また、例えば頭頂部の目視は、中央鏡部１０の鏡体１４ａ、１６ａに像を反射させずとも第２鏡部２０及び第３鏡部３０のみでも可能である。よって、第１中央鏡部１４の鏡体１４ａもしくは第２中央鏡部１６の鏡体１６ａの一部に拡大ミラー部１８を設けても良い。拡大ミラー部１８としては、例えば周知の凹面鏡や拡大ミラーとして機能するフレネルレンズ等を用いることができる。中でも厚みが比較的薄いフレネルレンズを用いることが特に好ましい。
【００１３】
第１ヒンジ部１２ａ、第２ヒンジ部１２ｂは、例えば弾性部材等による第１のストッパ機能を有しており、第２鏡部２０、第３鏡部３０を任意の角度で保持することができる。また、頭頂部等を目視するときの最適な角度で第２鏡部２０、第３鏡部３０を一旦保持する第２のストッパ機能を設けても良い。
【００１４】
また、第２鏡部２０には三面鏡５０を立てて使用する時に、後方への転倒を防止する脚部２２を設けても良い。
【００１５】
次に、三面鏡５０の使用法を説明する。先ず図２（ａ）に示すように、三面鏡５０が折り畳まれている状態では、第２中央鏡部１６は第１中央鏡部１４内に収容もしくは重ねられ、第２鏡部２０及び第３鏡部３０が第１ヒンジ部１２ａ、第２ヒンジ部１２ｂにより中央鏡部１０の側に折り畳まれている。このときの図２（ａ）中のＬ寸法は約１００ｍｍ〜１８０ｍｍであり、好適には１５０ｍｍ〜１７０ｍｍである。また、図２（ａ）中のＷ寸法は約５０ｍｍ〜１４０ｍｍであり、好適には１００ｍｍ〜１２０ｍｍである。この寸法であれば、三面鏡５０をカバン等に容易に収容して気軽に携帯することができる。
【００１６】
次に、三面鏡５０を使用して頭頂部を目視する場合、先ず、第２鏡部２０及び第３鏡部３０を開く。このとき、第２鏡部２０及び第３鏡部３０は第１ヒンジ部１２ａ、第２ヒンジ部１２ｂに設けられた第２のストッパ機能により、予め設計された最適な角度で一旦保持される。そして、第２鏡部２０を机等に載置して三面鏡５０を縦方向に立てる。これにより、三面鏡５０は図２（ｂ）に示す状態となる。このとき、第２鏡部２０に設置された脚部２２が、三面鏡５０が後方に転倒することを防止する。
【００１７】
次に、第１中央鏡部１４内に収容されている第２中央鏡部１６を長手方向に引き出す。第２中央鏡部１６が所定の位置まで引き出されると、第２中央鏡部１６はその位置で保持される。これにより、第２鏡部２０と第３鏡部３０との間隔はＬ寸法の約２倍の２００ｍｍ〜３６０ｍｍとなる。
【００１８】
この状態でユーザは、第２鏡部２０、第３鏡部３０の間に頭部を入れ、頭頂部を第３鏡部３０で映した上で当該第３鏡部３０に映った頭頂部を第２鏡部２０から目視する。このとき、第２鏡部２０と第３鏡部３０との間隔は十分に確保されているため、ユーザは容易に自分の頭頂部を目視することができる。
【００１９】
また、ユーザが第２鏡部２０及び第３鏡部３０の角度を変えた場合でも、第１ヒンジ部１２ａ、第２ヒンジ部１２ｂに設けられた第１のストッパ機能により、第２鏡部２０及び第３鏡部３０をユーザが変えた任意の角度で保持することができる。これにより、ユーザの頭の形状、大きさに関わらず、ユーザが見たい部位を十分に目視することができる。
【００２０】
また、開いた状態の三面鏡５０を手で持って横方向に使用すれば、三面鏡５０を用いて耳の内部や後頭部、襟足等を目視することができる。また、各鏡部はそれぞれ通常の鏡として使用することができる。特に、第２鏡部２０を台として、第１中央鏡部１４、第２中央鏡部１６、第３鏡部３０を一直線となるように位置させれば、比較的大型の鏡として使用することができる。さらに、拡大ミラー部１８を用いることで顔面の見たい部分を拡大して視認することもできる。
【００２１】
以上のように、本考案に係る三面鏡５０によれば、中央鏡部１０を第１中央鏡部１４、第２中央鏡部１６で構成しさらにスライド伸縮式としているため、携帯時等には第１中央鏡部１４、第２中央鏡部１６を重ねその外形寸法を小さくすることができる。これにより、容易に携帯が可能となる。また、使用時には第２中央鏡部１６を伸ばすことで第２鏡部と第３鏡部との間隔を十分に確保することができる。これにより、頭頂部等を容易に目視することができる。
【００２２】
尚、上記に示した三面鏡５０は一例であるから、各部の寸法、構造、機構等は本考案の要旨を逸脱しない範囲で変更して実施することが可能である。
【符号の説明】
【００２３】
１０    中央鏡部
１２ａ  第１ヒンジ部
１２ｂ  第２ヒンジ部
１４    第１中央鏡部
１６    第２中央鏡部
１８    拡大ミラー部
２０    第２鏡部
３０    第３鏡部
５０    三面鏡
【図１】
0003158591.tif 000003
【図２】
0003158591.tif 000004